(57)【要約】【課題】互いに関係する複数の画像を異なる装置に送信する場合において、煩雑な処理を要することなく、複数の画像を適切に管理することを目的とする。【解決手段】撮影処理により得られた第１の画像と、第１の画像に対し編集処理が施された第２の画像を取得する取得手段と、第１の画像と、第１の画像の画像識別子とを対応付けて第１の外部装置に送信し、第２の画像と、画像識別子とを対応付けて第２の外部装置に送信する送信手段と、第２の画像に対する編集処理を示す編集情報と、第２の画像に対応付けられた画像識別子と、を第２の外部装置から受信する受信手段とを有し、記送信手段は、編集情報と画像識別子とを受信した場合に、受信した画像識別子に対応する第１の画像の送信先に対し、受信した編集情報を送信する。【選択図】図７
2019068348.tif 000002
【特許請求の範囲】
【請求項１】
撮影処理により得られた第１の画像と、前記第１の画像に対し編集処理が施された後の画像である第２の画像を取得する取得手段と、
前記第１の画像と、前記第１の画像の画像識別子とを対応付けて第１の外部装置に送信し、前記第２の画像と、前記画像識別子とを対応付けて第２の外部装置に送信する送信手段と、
前記第２の画像に対する前記編集処理を示す編集情報と、前記第２の画像に対応付けられた前記画像識別子と、を前記第２の外部装置から受信する受信手段と
を有し、
前記送信手段は、前記編集情報と前記画像識別子とを受信した場合に、受信した前記画像識別子に対応する前記第１の画像の送信先に対し、受信した前記編集情報を送信することを特徴とする撮影装置。
【請求項２】
前記第１の画像と前記画像識別子とを対応付けて記憶手段に格納し、さらに、前記受信手段が前記編集情報と前記画像識別子とを受信した場合に、受信した前記編集情報を、対応する前記画像識別子に対応付けて、前記記憶手段に格納する格納手段をさらに有し、
前記送信手段は、前記受信手段が受信した前記画像識別子に対応する前記第１の画像の送信先に対し、前記記憶手段において、前記受信した前記画像識別子に対応付けて記憶されている前記編集情報を送信することを特徴とする請求項１に記載の撮影装置。
【請求項３】
前記送信手段が前記第１の画像を送信した場合に、前記記憶手段から前記第１の画像を削除し、前記第１の画像に対応付けられている前記画像識別子は削除しないよう制御する削除手段をさらに有し、
前記送信手段は、前記編集情報と前記画像識別子とを受信した場合に、前記画像識別子に対応する前記第１の画像が前記記憶手段から削除されている場合においても、前記第１の画像の送信先に対して前記記憶手段において、前記受信した前記画像識別子に対応付けて記憶されている前記編集情報を送信することを特徴とする請求項２に記載の撮影装置。
【請求項４】
前記第２の画像は、前記第１の画像に比べてデータ量の少ない画像であることを特徴とする請求項１乃至３の何れか１項に記載の撮影装置。
【請求項５】
前記第１の画像は、ＲＡＷ画像であり、
前記第２の画像は、ＪＰＥＧ画像であることを特徴とする請求項４に記載の撮影装置。
【請求項６】
前記送信手段は、前記第１の画像の送信先に前記編集情報を送信した場合に、前記第２の画像の送信先に対し、通知情報を送信することを特徴とする請求項１乃至５の何れか１項に記載の撮影装置。
【請求項７】
前記送信手段が前記第１の画像及び前記画像識別子を送信した場合に、前記送信先を示す情報を表示手段に表示させる表示制御手段をさらに有することを特徴とする請求項１乃至６の何れか１項に記載の撮影装置。
【請求項８】
撮影装置が実行する情報処理方法であって、
撮影処理により得られた第１の画像と、前記第１の画像に対し編集処理が施された後の画像である第２の画像を取得する取得ステップと、
前記第１の画像と、前記第１の画像の画像識別子とを対応付けて第１の外部装置に送信し、前記第２の画像と、前記画像識別子とを対応付けて第２の外部装置に送信する第１の送信ステップと、
前記第２の画像に対する前記編集処理を示す編集情報と、前記第２の画像に対応付けられた前記画像識別子と、を前記第２の外部装置から受信する受信ステップと、
前記編集情報と前記画像識別子とを受信した場合に、受信した前記画像識別子に対応する前記第１の画像の送信先に対し、受信した前記編集情報を送信する第２の送信ステップと
を含むことを特徴とする情報処理方法。
【請求項９】
コンピュータを、請求項１乃至７の何れか１項に記載の撮影装置の各手段として機能させるためのプログラム。
【発明の詳細な説明】
【技術分野】
【０００１】
本発明は、撮影装置、情報処理方法及びプログラムに関する。
【背景技術】
【０００２】
従来、一度の撮影でＲＡＷファイルとＪＰＥＧファイル等、複数のファイルフォーマットで記録することのできる撮影装置が知られている。また、フォーマットの異なる複数の撮影画像をパーソナルコンピュータ（ＰＣ）やタブレット等、複数の情報処理装置が目的に応じて管理するということが広く行われている。例えば、タブレットで撮影画像を確認するために、ＪＰＥＧファイルをタブレットに送り、画像調整を行うために、ＰＣにＲＡＷファイルを送るといった利用形態が挙げられる。
【０００３】
特許文献１には、情報処理装置において選択されたＪＰＥＧファイルに対応するＲＡＷファイルを保持する保存機器をサーバ装置に問い合わせ、ＪＰＥＧファイルに対応するＲＡＷファイルに対する現像処理を要求する情報処理装置が知られている。
【先行技術文献】
【特許文献】
【０００４】
【特許文献１】特開２０１６−４８９１１号公報
【発明の概要】
【発明が解決しようとする課題】
【０００５】
撮影装置が、第１の画像と、第１の画像に対応する第２の画像を、異なる装置に送信する場合において、送信先の装置において第２の画像に対し編集処理が行われた場合に、第１の画像においても編集処理を反映させたいという要望がある。上述の特許文献１の技術のように、サーバ装置に問い合わせることで、第２の画像に対応した第１の画像を特定することも可能であるが、処理が煩雑であるという問題があった。
【０００６】
本発明はこのような問題点に鑑みなされたもので、互いに関係する複数の画像を異なる装置に送信する場合において、煩雑な処理を要することなく、複数の画像を適切に管理することを目的とする。
【課題を解決するための手段】
【０００７】
そこで、本発明は、撮影装置であって、撮影処理により得られた第１の画像と、前記第１の画像に対し編集処理が施された後の画像である第２の画像を取得する取得手段と、前記第１の画像と、前記第１の画像の画像識別子とを対応付けて第１の外部装置に送信し、前記第２の画像と、前記画像識別子とを対応付けて第２の外部装置に送信する送信手段と、前記第２の画像に対する前記編集処理を示す編集情報と、前記第２の画像に対応付けられた前記画像識別子と、を前記第２の外部装置から受信する受信手段とを有し、前記送信手段は、前記編集情報と前記画像識別子とを受信した場合に、受信した前記画像識別子に対応する前記第１の画像の送信先に対し、受信した前記編集情報を送信することを特徴とする。
【発明の効果】
【０００８】
本発明によれば、互いに関係する複数の画像を異なる装置に送信する場合において、煩雑な処理を要することなく、複数の画像を適切に管理することができる。
【図面の簡単な説明】
【０００９】
【図１】撮影システムの全体図である。
【図２】デジタルカメラのハードウェア構成図である。
【図３】タブレットのハードウェア構成図である。
【図４】デジタルカメラのデータ構成例を示す図である。
【図５】タブレットのデータ構成例を示す図である。
【図６】ＰＣのデータ構成例を示す図である。
【図７】情報処理を示すフローチャートである。
【図８】第２の実施形態に係る情報処理を示すフローチャートである。
【発明を実施するための形態】
【００１０】
以下、本発明の実施形態について図面に基づいて説明する。
（第１の実施形態）
図１は、第１の実施形態に係る撮影システム１００の全体図である。撮影システム１００は、デジタルカメラ１０１と、タブレット１０２と、ＰＣ１０３（パーソナルコンピュータ）と、を有している。デジタルカメラ１０１とタブレット１０２は、Ｗｉ-Ｆｉ（登録商標）、Ｂｌｕｅｔｏｏｔｈ（登録商標）ＬＥ、ＵＳＢ等を介して通信可能である。デジタルカメラ１０１とＰＣ１０３も同様に通信可能である。
【００１１】
デジタルカメラ１０１は、撮影装置の一例である。タブレット１０２及びＰＣ１０３は、いずれも情報処理装置の一例であり、撮影装置に対する外部装置の一例である。本実施形態においては、タブレット１０２は、撮影画像の送信先の一例である。タブレット１０２は、デジタルカメラ１０１からＰＣ１０３へ撮影画像を送信可能になったことをユーザに通知する装置の一例である。タブレット１０２の代わりにスマートフォンを用いてもよい。
【００１２】
本実施形態のデジタルカメラ１０１は、撮影画像の生成時に、撮影画像から副画像を生成する。副画像は、撮影画像に対して、圧縮率、画素数、ビット深度等を削減してデータ量を抑えた画像であり、撮影画像の代理データとして表示可能な画像である。また、副画像には、撮影画像の画像識別子が対応付けられている。すなわち、撮影画像と副画像は、この画像識別子により、相互に関連付けられている。また、本実施形態において、撮影画像は、現像処理が完了していない状態のＲＡＷ画像データを含むＲＡＷファイルである。副画像は、撮影画像に比べてデータ量（画素数）が少なくなるような画像処理をＲＡＷ画像に対して施すことで得られた画像である。すなわち、副画像は、撮影画像に比べてデータ量（画素数）が少ない画像である。なお、副画像は、現像処理やＪＰＥＧなどの所定の形式への圧縮処理が行われた現像済データを含む現像済画像ファイルであってもよい。すなわち、副画像は、ＪＰＥＧ画像であってもよい。
【００１３】
また、ＰＣ１０３はタブレット１０２に比べて処理能力やデータ記憶容量が大きく、撮影画像の現像処理を実行して現像結果を表示することが可能であるものとする。このような構成に対応し、デジタルカメラ１０１は、タブレット１０２へデータ量の少ない副画像を送信し、ＰＣ１０３に撮影画像を送信する。これにより、ユーザは、タブレット１０２において、撮影後速やかに副画像を表示させ、閲覧することができる。さらに、ユーザは、タブレット１０２において、レーティング、コメント、タグなどのメタデータや明るさ、ホワイトバランス、色の階調、色の濃さ、シャープネス、ノイズリダクション、色空間などの画像の編集を行うことができる。
【００１４】
一方、ＰＣ１０３は、撮影画像を取得し、現像処理及び画像調整を実行し、現像結果を得ることができる。本実施形態においては、デジタルカメラ１０１は、タブレット１０２において実行された編集処理に対応した編集を行うべく、編集処理の内容を示す編集情報をＰＣ１０３に送信する。これにより、ＰＣ１０３は、タブレット１０２において実行された編集処理を、撮影画像に対して実行（反映）することができる。
【００１５】
図２は、デジタルカメラ１０１のハードウェア構成図である。デジタルカメラ１０１は、制御部２０１、ＲＯＭ２０２、ＲＡＭ２０３、記録媒体２０４、デバイスＩＦ２０５、入力部２０６、表示部２０７、通信部２０８、撮影部２０９及び画像処理部２１０を有している。制御部２０１は、例えば、ＣＰＵであり、デジタルカメラ１０１の全体を制御する。ＲＯＭ２０２は、変更を必要としないプログラムやパラメータなどを格納する。ＲＡＭ２０３は、外部装置などから供給されるプログラムやデータなどを一時記憶する。なお、後述するデジタルカメラ１０１の機能や処理は、制御部２０１がＲＯＭ２０２等に格納されているプログラムを読み出し、このプログラムを実行することにより実現されるものである。
【００１６】
記録媒体２０４は、デジタルカメラ１０１に内蔵されたハードディスクやメモリカード等を含む。記録媒体２０４はまた、着脱可能な、コンパクトディスク（ＣＤ）等の光ディスク、磁気カード、光カード、ＩＣカード等を含む。デバイスＩＦ２０５は、着脱可能な記録媒体２０４とのインタフェースである。入力部２０６は、ユーザの操作を受け付ける。表示部２０７は、各種情報を表示する。通信部２０８は、インターネットなどのネットワーク回線に接続するためのインタフェースまたは、タブレット１０２やＰＣ１０３などの外部装置と通信するためのインタフェースである。
【００１７】
撮影部２０９は、画像を撮影する。画像処理部２１０は、撮影部２０９により得られた画像に対し、画像処理を施す。画像処理部２１０は、例えば、撮影画像から副画像を生成する。制御部２０１は、撮影部２０９により得られた撮影画像に対し、画像識別子を割り当て、撮影画像と画像識別子とを対応付けて記録媒体２０４に格納する。さらに、画像処理部２１０により、副画像が生成されると、制御部２０１は、副画像の生成元の撮影画像の画像識別子に対応付けて、副画像を記録媒体２０４に格納する。なお、他の例としては、制御部２０１が副画像の生成等の画像処理を行ってもよい。この場合には、デジタルカメラ１０１は、画像処理部２１０を有さなくともよい。
【００１８】
図３は、タブレット１０２のハードウェア構成図である。タブレット１０２は、制御部３０１、ＲＯＭ３０２、ＲＡＭ３０３、記録媒体３０４、デバイスＩＦ３０５、入力部３０６、表示部３０７及び通信部３０８を有している。制御部３０１、ＲＯＭ３０２、ＲＡＭ３０３、記録媒体３０４、デバイスＩＦ３０５、入力部３０６、表示部３０７及び通信部３０８は、それぞれ図２を参照しつつ説明したデジタルカメラ１０１の対応する各部２０１〜２０８と同様である。また、ＰＣ１０３のハードウェア構成は、タブレット１０２のハードウェア構成と同様である。
【００１９】
図４は、デジタルカメラ１０１のデータ構成例を示す図である。デジタルカメラ１０１は、図４（ａ）に示す撮影画像テーブル４００と、図４（ｂ）に示す転送先リスト４１０と、を例えば、記録媒体２０４等の記憶部に記憶している。撮影画像テーブル４００は、撮影画像と、撮影画像を識別する画像識別子と、編集情報と、対応付けて記憶する。なお、編集情報は、撮影画像から生成された副画像に対して施された編集処理の内容を示す情報である。編集情報は、例えば編集処理における設定値などを含む。
【００２０】
図４（ａ）の例では、５つの撮影画像１〜５が記憶されており、各撮影画像に対応付けて画像識別子Ａ〜Ｅが記憶されている。なお、記録媒体２０４は、撮影画像と、画像識別子と、編集情報と、を対応付けて記憶すればよく、そのための具体的なデータ構成は実施形態に限定されるものではない。他の例としては、記録媒体２０４は、画像識別子及び編集情報は撮影画像とは別ファイルとして記憶してもよい。また、他の例としては、記録媒体２０４は、画像識別子と編集情報を撮影画像ファイル内に記憶してもよい。なお、デジタルカメラ１０１は、撮影画像が得られた場合に、撮影画像と画像識別子を撮影画像テーブル４００に格納する。さらに、デジタルカメラ１０１は、タブレット１０２から編集情報を受信した場合に、撮影画像テーブル４００に編集情報を格納する。
【００２１】
図４（ｂ）に示す転送先リスト４１０には、撮影画像が転送された、転送先のアドレスが記憶される。デジタルカメラ１０１は、ＰＣ１０３と接続し、ＰＣ１０３に撮影画像を送信した場合に、ＰＣ１０３のアドレス等の端末識別子をＰＣ１０３から受信し、これを転送先リスト４１０に格納する。
【００２２】
図５は、タブレット１０２が記憶する副画像テーブルのデータ構成例を示す図である。タブレット１０２は、副画像テーブル５００を例えば記録媒体３０４等の記憶部に記憶している。副画像テーブル５００は、副画像と、副画像に対応する画像識別子と、編集情報と、を対応付けて記憶する。ここで、画像識別子は、副画像の生成元となる撮影画像の画像識別子である。タブレット１０２は、デジタルカメラ１０１から副画像と画像識別子を受信した場合に、これらを副画像テーブル５００に格納する。また、編集情報は、タブレット１０２において編集処理が行われた場合に副画像テーブル５００に格納される。したがって、編集処理が実行される前の状態においては、編集情報は格納されていない。
【００２３】
図６は、ＰＣ１０３が記憶する撮影画像テーブルのデータ構成例を示す図である。ＰＣ１０３は、撮影画像テーブル６００を例えば記憶媒体等に記憶している。撮影画像テーブル６００は、撮影画像と、撮影画像の画像識別子と、編集情報と、を対応付けて記憶する。ＰＣ１０３は、デジタルカメラ１０１から撮影画像と画像識別子とを受信した場合に、これらを撮影画像テーブル６００に格納する。ＰＣ１０３はさらに、デジタルカメラ１０１から編集情報と画像識別子と受信した場合に、編集情報を対応する画像識別子に対応付けて撮影画像テーブル６００に格納する。
【００２４】
図７は、デジタルカメラ１０１による情報処理を示すフローチャートである。Ｓ７０１において、デジタルカメラ１０１の制御部２０１は、撮影部２０９による撮影処理により得られた撮影画像を取得する。制御部２０１は、さらに撮影画像を画像識別子に対応付けて撮影画像テーブル４００に格納する。次に、Ｓ７０２において、制御部２０１は、Ｓ７０１において取得した撮影画像に基づいて、画像処理部２１０に副画像の生成を指示し、画像処理部２１０から副画像を取得する。なお、Ｓ７０１及びＳ７０２の処理は、撮影画像及び副画像を取得する取得処理の一例である。
【００２５】
次に、Ｓ７０３において、制御部２０１は、デジタルカメラ１０１にタブレット１０２が接続されているか否かを判定する。制御部２０１は、タブレット１０２が接続されている場合には（Ｓ７０３でＹＥＳ）、処理をＳ７０４へ進める。制御部２０１は、タブレット１０２が接続されていない場合には（Ｓ７０３でＮＯ）、処理をＳ７０７へ進める。Ｓ７０４において、制御部２０１は、Ｓ７０２において取得した副画像と、副画像の生成元の撮影画像の画像識別子と、対応付けて、通信部２０８を介して接続先のタブレット１０２へ送信する。
【００２６】
タブレット１０２は、副画像と画像識別子とを受信すると、受信した副画像と画像識別子とを対応付けて副画像テーブル５００に格納する。これにより、タブレット１０２は、デジタルカメラ１０１における撮影後、速やかに自装置の表示部３０７に副画像を表示することができる。したがって、ユーザは、タブレット１０２を用いて、副画像を閲覧することができる。さらに、タブレット１０２は、ユーザ操作に応じて、副画像に対し編集処理を施すことができる。ここで、編集処理は、レーティング、カラーラベル、明るさ、ホワイトバランス、色の階調、色の濃さ、シャープネス、ノイズリダクション、色空間等の画像調整の処理である。
【００２７】
タブレット１０２は、編集処理を行った場合には、編集処理の内容を示す編集情報を生成し、これを副画像の画像識別子に対応付けて副画像テーブル５００に格納する。ここで、編集情報には、編集処理において設定された調整値や変更日時が含まれる。タブレット１０２は、編集処理を行った場合には、さらに、編集情報と画像識別子とを対応付けて、副画像の送信元であるデジタルカメラ１０１に送信する。
【００２８】
これに対し、制御部２０１は、Ｓ７０４の処理の後、Ｓ７０５において、通信部２０８を介してタブレット１０２から編集情報と画像識別子とを受信する。次に、Ｓ７０６において、制御部２０１は、撮影画像テーブル４００において、受信した画像識別子を検索し、一致する画像識別子に対応付けて、受信した編集情報を格納する。ｔなお、制御部２０１は、受信した画像識別子に対応付けて撮影画像テーブル４００に既に編集情報が記憶されている場合には、変更日時を確認する。そして、制御部２０１は、受信した編集情報の変更日時が新しい場合には、受信した編集情報に更新し、既に記憶されている編集情報が記憶されている場合には、更新は行わない。なお、タブレット１０２は、編集情報と画像識別子とをデジタルカメラ１０１に送信すると、送信が完了した編集情報をリセットする。
【００２９】
次に、Ｓ７０７において、制御部２０１は、デジタルカメラ１０１にＰＣ１０３が接続されているか否かを判定する。制御部２０１は、ＰＣ１０３が接続されている場合には（Ｓ７０７でＹＥＳ）、処理をＳ７０８へ進める。制御部２０１は、ＰＣ１０３が接続されていない場合には（Ｓ７０７でＮＯ）、処理をＳ７１２へ進める。Ｓ７０８において、制御部２０１は、撮影画像テーブル４００に記憶されている撮影画像と、画像識別子と、とを、通信部２０８を介して接続先のＰＣ１０３へ送信する。ＰＣ１０３は、撮影画像と画像識別子とを受信すると、受信した撮影画像と画像識別子とを対応付けて撮影画像テーブル６００に格納する。制御部２０１は、さらに、撮影画像を送信した場合に、撮影画像の送信先の外部装置を示す情報を表示部２０７に表示するよう制御する。本処理は、表示制御処理の一例である。
【００３０】
次に、Ｓ７０９において、制御部２０１は、Ｓ７０８において送信した撮影画像を撮影画像テーブル４００から削除する。なお、このとき、制御部２０１は、撮影画像に対応付けられている画像識別子については削除しないよう制御する。なお、制御部２０１は、撮影画像の削除は行わなくともよい。また、制御部２０１は、Ｓ７０８の処理の後、ユーザ操作により削除指示を受け付けた場合に、撮影画像を削除することとしてもよい。次に、Ｓ７１０において、制御部２０１は、ＰＣ１０３から、ＰＣ１０３の端末識別子を受信し、受信した端末識別子を転送先リスト４１０に格納する。
【００３１】
次に、Ｓ７１１において、制御部２０１は、接続中のＰＣ１０３の端末識別子と一致する端末識別子が転送先リスト４１０に記憶されているか否かを確認する。そして、制御部２０１は、一致する端末識別子が記憶されている場合には、撮影画像テーブル４００において、Ｓ７０８において送信した画像識別子に対応付けられている編集情報を、画像識別子と共に、ＰＣ１０３に送信する。ＰＣ１０３は、編集情報と画像識別子を受信すると、撮影画像テーブル６００において、受信した画像識別子を検索し、一致する画像識別子に対応付けて編集情報を格納する。なお、受信した画像識別子に対応付けて、既に編集情報が記憶されている場合には、変更日時が新しい方の編集情報を撮影画像テーブル６００に格納する。これにより、ＰＣ１０３は、編集情報を利用することで、撮影画像に対応する副画像に対しタブレット１０２において実行された画像処理を、撮影画像に対しても実施することができる。
【００３２】
制御部２０１は、Ｓ７１１においてＰＣ１０３に編集情報を送信した場合に、編集情報の送信元であるタブレット１０２に対して、編集情報を送信したことをユーザに通知するための通知情報を送信してもよい。さらにこの場合、タブレット１０２は、表示部３０７に通知情報を表示する。これにより、ユーザは、編集情報が送信されたことを確認することができる。
【００３３】
次に、Ｓ７１２において、制御部２０１は、電源ＯＦＦ等の終了処理が行われたか否かを判定する。制御部２０１は、終了処理が行われた場合には（Ｓ７１２でＹＥＳ）、デジタルカメラ１０１による情報処理は終了する。制御部２０１は、終了処理が行われていない場合には（Ｓ７１２でＮＯ）、処理をＳ７０３へ進める。
【００３４】
なお、デジタルカメラ１０１は、ＰＣ１０３に撮影画像と画像識別子とを送信した後に、ＰＣ１０３に送信した画像識別子と同一の画像識別子と共に編集情報をタブレット１０２から受信する場合もある。デジタルカメラ１０１は、この場合にも、ＰＣ１０３に編集情報と画像識別子とを送信するものとする。これにより、デジタルカメラ１０１は、タブレット１０２において副画像に対する編集処理が行われた場合に、編集情報を適宜、対応する撮影画像の送信先の装置（ＰＣ１０３）に対し、適宜、編集情報を送信することができる。
【００３５】
以上のように、本実施形態に係る撮影システム１００においては、デジタルカメラ１０１は、タブレット１０２に副画像を送信する場合において、タブレット１０２において副画像に対し編集処理が行われた場合には、編集処理に対応する編集情報を受信する。そして、デジタルカメラ１０１は、ＰＣ１０３に撮影画像を送信する場合に、さらに対応する副画像に係る編集情報をＰＣ１０３に送信する。これにより、編集情報の同期のためにネットワークへの登録等の処理を要することなく、副画像に対する編集情報を撮影画像との間で同期させることができる。さらに、ＰＣ１０３は、編集情報を利用することで、撮影画像に対し、対応する副画像に対して実行された画像処理を反映させることができる。また、デジタルカメラ１０１は、撮影画像の削除後においても、画像識別子と編集情報を記憶しており、撮影画像の送信先に対し、編集情報を送信することができる。以上のように、デジタルカメラ１０１は、対応する第１の画像と第２の画像を、異なる装置に送信し、送信先の装置において第２の画像に対し編集処理が行われた場合に、煩雑な処理を要することなく、第１の画像への編集処理の反映を可能とすることができる。すなわち、デジタルカメラ１０１は、互いに関係する複数の画像を異なる装置に送信する場合において、煩雑な処理を要することなく、複数の画像を適切に管理することができる。
【００３６】
（第２の実施形態）
第２の実施形態に係る撮影システム１００においては、デジタルカメラ１０１において、編集情報と画像識別子とが対応付けて、着脱可能な記録媒体２０４に格納される。そして、記録媒体２０４がＰＣ１０３に装着されると、ＰＣ１０３は、記録媒体２０４から編集情報と画像識別子とを読み出す。これにより、ＰＣ１０３は、既に取得している撮影画像に対応した編集情報を取得することができる。以下、第２の実施形態に係る撮影システム１００について、第１の実施形態に係る撮影システム１００と異なる点を主に説明する。
【００３７】
図８は、第２の実施形態に係るデジタルカメラ１０１による情報処理を示すフローチャートである。なお、図８に示す情報処理の各処理のうち、図７を参照しつつ説明した第１の実施形態に係る情報処理の各処理と同一の処理には、同一の番号を付している。Ｓ７０６の処理の後、Ｓ８０１において、制御部２０１は、Ｓ７０５においてタブレット１０２から受信し、撮影画像テーブル４００において画像識別子に対応付けられている編集情報を、画像識別子に対応受けて記録媒体２０４に格納する。その後、ユーザは、記録媒体２０４をデジタルカメラ１０１から外し、ＰＣ１０３のデバイスＩＦと接続する。このとき、ＰＣ１０３は、装着された記録媒体２０４から編集情報と画像識別子とを読み出す。そして、ＰＣ１０３は、読み出された画像識別子と一致する画像識別子を撮影画像テーブル６００において検索し、一致する画像識別子に対応付けて、撮影画像テーブル６００に編集情報を格納する。なお、この場合も、ＰＣ１０３は、変更日時が新しい編集情報を格納するようにする。ＰＣ１０３はさらに、自身の端末識別子を記録媒体２０４に格納する。
【００３８】
その後、記録媒体２０４が再度デジタルカメラ１０１に装着されると、Ｓ８０２において、デジタルカメラ１０１の制御部２０１は、記録媒体２０４に格納されている端末識別子を読み出し、これを転送先リスト４１０に格納し、その後処理をＳ７１２へ進める。なお、第２の実施形態に係る撮影システム１００のこれ以外の構成及び処理は、第１の実施形態に係る撮影システム１００の構成及び処理と同様である。
【００３９】
以上のように、第２の実施形態に係る撮影システム１００は、着脱可能な記録媒体を利用することで、ＰＣ１０３との通信を行うことなく、タブレット１０２による編集結果を示す編集情報をＰＣ１０３の撮影画像と同期させることができる。
【００４０】
以上、本発明の好ましい実施形態について詳述したが、本発明は係る特定の実施形態に限定されるものではなく、特許請求の範囲に記載された本発明の要旨の範囲内において、種々の変形・変更が可能である。
【００４１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４２】
１００  撮影システム
１０１  デジタルカメラ
１０２  タブレット
１０３  ＰＣ
【図１】
2019068348.tif 000003
【図２】
2019068348.tif 000004
【図３】
2019068348.tif 000005
【図４】
2019068348.tif 000006
【図５】
2019068348.tif 000007
【図６】
2019068348.tif 000008
【図７】
2019068348.tif 000009
【図８】
2019068348.tif 000010